(57)【要約】  プラスチック材製の第１の層（１１，１１１，２１１，３１１，４１１，５１１，６１１，７１１）と、プラスチック材、金属材、紙状材あるいはそれらの類似材の中から選択される材料製の少なくともひとつの第２の層（１２，１１２，２１２，３１２，４１２，５１２，６１２，７１２，２１３，３１３，４１３，５１３，６１３，７１３，６１４，７１４）とからなり、各層は接着材の間挿層（１５）により隣接層に結合されている梱包材用多重積層フィルム。本発明に基づく前記多重積層フィルム（１０，１１０，２１０，３１０，４１０，５１０，６１０，７１０）は、プラスチック材（１１，１１１，２１１，３１１，４１２，５１２，６１３，７１３）のより高い剛性層の少なくともひとつの面（１６，２１６，４１６，６１６，１１７，３１７，５１７，７１７）上に連続的かつ平行な複数の並置切込み（１８，１８ａ，１８ｂ，１８ｃ，１８ｄ，１８ｅ，１１８，２１８，３１８，４１８，５１８，６１８，７１８）を有しており、これらは切込み（１８，１８ａ，１８ｂ，１８ｃ，１８ｄ，１８ｅ，１１８，２１８，３１８，４１８，５１８，６１８，７１８）の方向に対して直角な破断荷重の低減を促進するために適合している。前記切込み（１８，１８ａ，１８ｂ，１８ｃ，１８ｄ，１８ｅ，１１８，２１８，３１８，４１８，５１８，６１８，７１８）は材料を除去することにより得られ、またより高い剛性層の厚さに対して部分的に影響を及ぼすものである。【選択図】図１
2008521712.tif 000002
【特許請求の範囲】
【請求項１】
プラスチック材製の第１の層（１１，１１１，２１１，３１１，４１１，５１１，６１１，７１１）と、
プラスチック材、金属材、紙状材あるいはそれらの類似材の中から選択される材料製の少なくともひとつの第２の層（１２，１１２，２１２，３１２，４１２，５１２，６１２，７１２，２１３，３１３，４１３，５１３，６１３，７１３，６１４，７１４）とから成り、
各層は接着材の間挿層（１５）により隣接層に結合されている梱包材用多重積層フィルムであって、
前記多重積層フィルム（１０，１１０，２１０，３１０，４１０，５１０，６１０，７１０）はプラスチック材（１１，１１１，２１１，３１１，４１２，５１２，６１３，７１３）のより高い剛性層の少なくともひとつの面（１６，２１６，４１６，６１６，１１７，３１７，５１７，７１７）上に、連続的かつ平行な複数の並置切込み（１８，１８ａ，１８ｂ，１８ｃ，１８ｄ，１８ｅ，１１８，２１８，３１８，４１８，５１８，６１８，７１８）を有することを特徴としており、
これらは切込み（１８，１８ａ，１８ｂ，１８ｃ，１８ｄ，１８ｅ，１１８，２１８，３１８，４１８，５１８，６１８，７１８）の方向に対して直角な破断荷重の低減を促進するために適合しており、
また前記切込み（１８，１８ａ，１８ｂ，１８ｃ，１８ｄ，１８ｅ，１１８，２１８，３１８，４１８，５１８，６１８，７１８）は、前記のより高い剛性層の厚さに対して部分的に影響を及ぼすと共に、材料を除去することにより得られることを特徴とする梱包材用多重積層フィルム。
【請求項２】
前記切込み（１８，１８ａ，１８ｂ，１８ｃ，１８ｄ，１８ｅ，１１８，２１８，３１８，４１８，５１８，６１８，７１８）の深さはそれが形成される層（１１，１１１，２１１，３１１，４１２，５１２，６１３，７１３）の厚さの１５％から８５％までの範囲にあることを特徴とする請求項１に記載の梱包材用多重積層フィルム。
【請求項３】
前記間挿層（１５）は２部接着材で作られたことを特徴とする請求項１に記載の梱包材用多重積層フィルム。
【請求項４】
前記間挿層（１５）は押出しポリエチレンで作られたことを特徴とする請求項１に記載の梱包材用多重積層フィルム。
【請求項５】
前記多重積層フィルムが方向性ポリプロピレン製の第１の層（１１）およびポリエチレンまたはポリプロプレン製の第２の層（１２）により構成されており、前記第１の層（１１）はその外面（１６）に前記切込み（１８）を有することを特徴とする請求項１ないし５のいずれか一項に記載の梱包材用多重積層フィルム。
【請求項６】
前記多重積層フィルムが方向性ポリエステル製の第１の層（１１）およびポリプロピレンまたはポリエチレン製の第２の層（１２）により構成されており、前記第１の層（１１）はその外面（１６）に前記切込み（１８）を有することを特徴とする請求項１ないし４のいずれか一項に記載の梱包材用多重積層フィルム。
【請求項７】
前記多重積層フィルムが方向性ポリプロピレン製の第１の層（１１１）およびポリエチレンまたはポリプロピレン製の第２の層（１１２）により構成されており、前記第１の層（１１１）はその内面（１１７）に前記切込み（１１８）を有することを特徴とする請求項１ないし４のいずれか一項に記載の梱包材用多重積層フィルム。
【請求項８】
前記多重積層フィルムが方向性ポリプロピレンまたは方向性ポリエステル製の第１の層（２１１）、アルミニウム製の第２の層（２１２）およびポリエチレンまたはポリプロピレン製の第３の層（２１３）により構成されており、前記第１の層（２１１）はその外面（２１６）に前記切込み（２１８）を有することを特徴とする請求項１ないし４のいずれか一項に記載の梱包材用多重積層フィルム。
【請求項９】
前記多重積層フィルムが方向性ポリプロピレンまたは方向性ポリエステル製の第１の層（３１１）、アルミニウム製の第２の層（３１２）およびポリエチレンまたはポリプロピレン製の第３の層（３１３）により構成されており、前記第１の層（３１１）はその内面（３１７）に前記切込み（３１８）を有することを特徴とする請求項１ないし４のいずれか一項に記載の梱包材用多重積層フィルム。
【請求項１０】
前記多重積層フィルムが方向性ポリプロピレンまたはポリエステル製の第１の層（４１１）、方向性ポリアミドまたはポリエステル製の第２の層（４１２）、ポリプロピレンまたはポリエチレン製の第３の層（４１３）により構成されており、前記第２の層（４１２）は前記第１の層（４１１）に対向するその面（４１６）に切込み（４１８）を有することを特徴とする請求項１ないし４のいずれか一項に記載の梱包材用多重積層フィルム。
【請求項１１】
前記多重積層フィルムが方向性ポリプロピレンまたはポリエステル製の第１の層（５１１）、方向性ポリアミドまたはポリエステル製の第２の層（５１２）、ポリプロピレンまたはポリエチレン製の第３の層（５１３）により構成されており、前記第２の層（５１２）は前記第３の層（５１３）に対向するその面（５１７）に前記切込み（５１８）を有することを特徴とする請求項１ないし４のいずれか一項に記載の梱包材用多重積層フィルム。
【請求項１２】
前記多重積層フィルムが方向性ポリエステル製の第１の層（６１１）、アルミニウム製の第２の層（６１２）、方向性ポリアミド製の第３の層（６１３）およびポリプロピレンまたはポリエチレン製の第４の層（６１４）により構成されており、前記第３の層（６１３）はアルミニウム製前記第２の層（６１２）に対向するその面（６１６）に前記切込み（６１８）を有することを特徴とする請求項１ないし４のいずれか一項に記載の梱包材用多重積層フィルム。
【請求項１３】
前記多重積層フィルムが方向性ポリエステル製の第１の層（７１１）、アルミニウム製の第２の層（７１２）、方向性ポリアミド製の第３の層（７１３）およびポリプロピレンまたはポリエチレン製の第４の層（７１４）により構成されており、前記第３の層（７１３）は前記第４の層（７１４）に対向するその面（７１７）に前記切込み（７１８）を有することを特徴とする請求項１ないし４のいずれか一項に記載の梱包材用多重積層フィルム。
【請求項１４】
前記の材料除去操作は機械的形式であることを特徴とする請求項１ないし１３のいずれか一項に記載の梱包材用多重積層フィルム。
【請求項１５】
請求項１ないし１４のいずれか一項に記載の多重積層フィルムにより提供され、また容易開放区域を有することを特徴とする梱包材。
【発明の詳細な説明】
【技術分野】
【０００１】
本発明は梱包用多重積層フィルムに関する。
本発明は、本発明に基づく多重積層フィルムにより提供される梱包材にも関する。
【背景技術】
【０００２】
開放容易式梱包材は、ユーザーにおけるそれらの実用性、およびメーカーにおけるそれらの低コストによりに、限定されるものではないが、特に食品分野において使用が増大している。
これらの梱包材は、一般に種々の方法により複数の層からなる積層フィルムを折りたたみ、かつ密閉することにより得られる。
このような多重積層フィルムは裂開のために予備加工された区域を有するが、それらは梱包材がパッケージ化されたときにいわゆる「開放容易個所」を形成する。
裂開のために予備加工された区域を備えた様々な種類のフィルムが市販されている。
【０００３】
第１のタイプは、金属材、一般にアルミニウム製の第２の下層に接着されたプラスチック材製の第１の外層からなる積層フィルムにより構成される。
第１の層は裂開過程を案内する複数の連続的かつ平行な切込みを有しており、それらはレーザーまたは超音波処理により得られるが、前記第１の層を完全に貫通して前述のように一般にアルミニウム製の第２の層において停止する。
しかし、これらの貫通切込みは下層のアルミニウムにとって弊害をもたらす。なぜならそれらによってアルミニウムが周辺湿気に晒されて早期に劣化するため、この第１のタイプのフィルムにより構成される梱包材の中に含まれる製品の健全性にとって致命的となり得るからである。
さらに、優れたレーザー加工を達成するためには、切込みを設ける材料がレーザー照射に対して優れた反応を発揮して、フィルムの特性の望ましくない変質を惹起するような融解部分における層特性の変化を阻止しなければならない。
【０００４】
同様に、第２の積層フィルムタイプは、同様に貫通穴である複数の穴により構成される裂開用に予備加工された区域を備えている。
連続的切込みとは異なり、これらの穴は下部のアルミニウム層をより好適に保護するが、アルミニウムが外部環境に露出される問題を解消しておらず、また直線的な裂開を案内できない。
開放容易式梱包材用積層フィルムの第３のタイプも知られており、その場合には裂開のために予備加工された区域は、完全には貫通しない実質的に平行な複数のカットにより形成されており、これらのカットは互いに近接し、かつ実質的に任意に配置されている。
これらのカットは貫通カットではないため、下部のアルミニウム層を保護するが、それらの任意の配置のために、梱包材に沿った裂開の容易な進行あるいは実質的に直線の経路に沿った進行が確保されない。
しかも、前記カットが剥離または機械的打抜きにより得られた場合には、材料の機械的脆性の危険な増大を惹起する恐れがある。
【０００５】
本発明の目的は、公知のフィルムのタイプが露呈している種々の問題および欠点を解消するための特に開放容易式梱包材用の積層フィルムを提供することである。
この目的内で、本発明は、適切に弱化された区域における梱包材の裂開の意図された方向への実質的に直線的な進行を確保する多重積層フィルムを提供することを目標とする。
本発明の別の目標は、金属材料層が外部環境との接触から常に保護される多重積層フィルムを提供することである。
本発明のさらに別の目標は、公知のタイプのフィルムと同様に容易に裂開できる多重積層フィルムを提供することである。
本発明のさらなる目標は、公知の形式の包装機械において使用できるフィルムを提供することである。
本発明のさらに別の目標は、公知のシステムおよび技術工学により安価に製造できる多重積層フィルムを提供することである。
【０００６】
以下に更に明らかとなる本目的並びにこれらと他の目標は、特に開放容易式梱包材用の多重積層フィルムにより達成されるが、該積層フィルムはプラスチック材製の第１の層と、プラスチック材、金属材、紙状材あるいはそれらの類似材の中から選択される材料製の少なくともひとつの第２の層とからなり、各層は接着材の間挿層により隣接層に結合されており、前記多重積層フィルムはプラスチック材のより高い剛性層の少なくともひとつの面上に連続的かつ平行な複数の並置切込みを有することを特徴としており、これらの切込みは前記積層フィルムの裂開の実質的に直線的な進行を促進するために適合しており、また前記切込みは前記のより高い剛性層の厚さに対して部分的に影響を及ぼすと共に、材料を除去することにより得られる。
【０００７】
（図面の簡単な説明）
本発明のさらなる特性および長所は、添付図面における非限定的な例によって説明される、以下の限定されない好適な８つのその実施形態より明らかとなるであろう。
図１は、本発明に基づくフィルムの部分斜視図である。
図２は、部分的に裂開された本発明に基づくフィルムの部分斜視図である。
図３は、図１および図２においても示された、第１の実施形態における本発明に基づくフィルムの断面図である。
図４は、第２の実施形態における本発明に基づくフィルムの断面図である。
図５は、第３の実施形態における本発明に基づくフィルムの断面図である。
図６は、第４の実施形態における本発明に基づくフィルムの断面図である。
図７は、第５の実施形態における本発明に基づくフィルムの断面図である。
図８は、第６の実施形態における本発明に基づくフィルムの断面図である。
図９は、第７の実施形態における本発明に基づくフィルムの断面図である。
図１０は、第８の実施形態における本発明に基づくフィルムの断面図である。
【発明を実施するための最良の形態】
【０００８】
図面において、本発明に基づく特に容易開放式の多重積層フィルムは、図１ないし図３に示される第１の実施形態において、一般に参照番号１０により表されている。
フィルム１０は、プラスチック材製の第１の層１１、および同様にプラスチック製の第２の層１２により構成される。
この第１の実施形態における第１の層１１は、方向性ポリプロピレン（以下ｏＰＰと称する)からなる。
第２の層１２は、ポリエチレン(以下ＰＥと称する)からなる。
これらの２つの層は、接着材からなる間挿層１５により接着される。
間挿層１５は、選択的に２部接着材または押出しポリエチレンにより構成される。
多重積層フィルム１０は、プラスチック材のより高い剛性層の少なくともひとつの面上に連続的かつ平行な複数の並置切込み１８を有する。
これらの切込みは、個別に参照番号１８ａ，１８ｂ，１８ｃ，１８ｄおよび１８ｅにより表される。
切込み１８は、フィルム１０の裂開の実質的に直線的な進行を促進するために適している。
切込み１８は、より高い剛性層の厚さに部分的に影響する。
【０００９】
この第１の実施形態において、より高い剛性層はｏＰＰ製の第１の層１１である。
この実施形態では、切込み１８は第１の層１１の外面１６に設けられる。
切込み１８は、材料を除去することによって得られる。
ここに説明された実施形態については、材料除去操作は機械的形式である。
機械的除去により、融解部分における層特性の変化という問題が回避されると共に、フィルム特性に対する変化という結果として生じる望ましくないリスクが阻止される。
切込み１８，１８ａ，１８ｂ，１８ｃ，１８ｄおよび１８ｅの深さは、有利にはそれが得られる層１１の厚さの１５％から８５％までの範囲に含まれる。
試験により判明したのは、１５％より下では積層フィルムの裂開方向性が満足ではなく、また８５％より上では積層フィルム１０の機械的特性が著しく低下する。
【００１０】
図２は、第１部分を右下へ、また第２部分を左上へ引くこと、つまり適切に作成された容易開放区域において梱包材を裂開する際に指により典型的に実施する動作により、フィルムを２つの部分に分離するために適したトルクの適用後のフィルム１０における裂開の進行を、例示的に示している。
裂開は切込み１８ｄにおいて始まり、切込み１８ｃにおいて継続する。
各切込み１８の平行配置により、裂開は実質的に直線方向に継続する。
第１の実施形態の変更形態では、第１の層１１は方向性ポリエステル(以下ｏＰＥＴと称する)製であり、また第２の層１２はポリプロピレン(以下ＰＰと称する)製またはＰＥ製である。
この場合には、より大きな剛性を有する材料はＰＥＴであるため、切込み１８は第１の層１１の一面、この場合には外面１６に得られる。
【００１１】
図４の第２の実施形態は、ｏＰＰ製の第１の層１１１およびＰＥ製またはＰＰ製の第２の層１１２からなるフィルム１１０を概略的に示している。
より強い第１の層１１１は、その内面１１７に切込み１１８を備えている。
【００１２】
図５に示された本発明に基づくフィルムの第３の実施形態は、ｏＰＰまたはＰＥＴ製の第１の層２１１、アルミニウム製の第２の層２１２およびＰＥまたはＰＰ製の第３の層２１３を備えている。
より高い剛性層はｏＰＰまたはＰＥＴ製の第１の層２１１であり、したがってそれは切込み２１８が形成される前記第１の層の外面２１６上にある。
切込み２１８は貫通切込みでないため、それらはアルミニウムの第２の層２１２を外部環境から保護することができる。
【００１３】
ここで説明する本発明の第４の実施形態においても、フィルム３１０はｏＰＰまたはＰＥＴ製の第１の層３１１、アルミニウム製の第２の層３１２およびＰＥまたはＰＰ製の第３の層３１３により構成される。
第１の層３１１は、その内面３１７に切込み３１８を備えている。
前述のように、この場合にも同様に切込みの内部位置はフィルムの容易な裂開を許容しない、なぜならば、それを構成する層は常に１０ミクロン台の厚さを有するからである。
【００１４】
図７に概略的に示された第５の実施形態では、フィルム４１０はｏＰＰまたはＰＥＴ製の第１の層４１１、ＰＥＴまたは方向性ポリアミド（ｏＰＡ）製の第２の層４１２およびＰＰまたはＰＥ製の第３の層４１３からなる。
最も高い剛性層は第２の層４１２である。
切込み４１８は、第１の層４１１に対向する面４１６上に設けられる。
【００１５】
第６の実施形態では、フィルム５１０はｏＰＰまたはＰＥＴ製の第１の層５１１、ＰＥＴまたはｏＰＡ製の第２の層５１２およびＰＰまたはＰＥ製の第３の層５１３を備えている。
この場合には、第２の層５１２上の切込み５１８は第３の層５１３に対向する面５１７に設けられる。
積層フィルム全体の裂開を達成するためには、最も高い剛性層が他の２つの層の間に挟まれている場合でも、その破断を開始すれば十分である。
【００１６】
図９に概略的に示された第７の実施形態では、フィルム６１０はＰＥＴ製の第１の層６１１、アルミニウム製の第２の層６１２、方向性ポリアミド（ｏＰＡ）製の第３の層６１３およびＰＰまたはＰＥ製の第４の層６１４からなる。
ここに提供された４つの層の中で最も剛性の高い層は、ｏＰＡ製の第３の層６１３である。
したがって、本例においてアルミニウム製の第２の層６１２に対向する面６１６上に切込み６１８を有するのは第３の層６１３である。
【００１７】
同じく第８の実施形態では、フィルム７１０はやはりＰＥＴ製の第１の層７１１、アルミニウム製の第２の層７１２、ｏＰＡ製の第３の層７１３およびＰＰまたはＰＥ製の第４の層７１４からなり、また第３の層７１３の一面上に切込み７１８を備えている。
前記の実施形態とは異なり、切込みを備えた面７１７は非方向性ポリプロピレン製の第４の層７１４に対向する面である。
【００１８】
本発明は、前記請求項のいずれか一項または複数項に基づく多重積層フィルムにより提供され、また容易開放区域を備えていることを特徴とする梱包材にも関する。
そのような梱包材は大半の食品を密封する分野において高く評価されている。なぜなら、それが食品保存の品質と、開放の簡略かつ容易な裂開の品質および前記開放が生じる方向上の精度の品質とを兼ね備えるからである。
実際に判明しているのは、上記の本発明は特に容易開放式の多重積層フィルムの公知の形式に関して述べた諸問題を解決できることである。
特に、本発明は適切に弱化された区域における梱包材の所期方向での裂開の実質的に直線的進行を保証する多重積層フィルムを提供する。
さらに、本発明は金属材料製の層が常に外部環境との接触に対して保護される多重積層フィルムを提供する。
【００１９】
加えて、本発明は公知のタイプのフィルムと同様に容易に裂開できる多重積層フィルムを提供する。
さらに、本発明は公知のシステムおよび技術工学により安価に製造できる多重積層フィルムを提供する。
このように構想された本発明は、当該請求項の範囲内にある多数の変更および変形を受け入れることができ、すべての細部はさらに技術的に同等の他の要素により代替することができる。
実際的に、サイズと同様に特定の使用との互換性があるかぎり、採用される材料は、あらゆる要件および最新技術に基づくことができる。
本出願書が優先権を主張するイタリア特許出願書第ＰＤ２００４Ａ０００３０２号における開示内容は、参考資料として本書に記載されている。
【図面の簡単な説明】
【００２０】
【図１】発明に基づく積層フィルムの部分斜視図である。
【図２】部分的に裂開された発明に基づく積層フィルムの部分斜視図である。
【図３】図１および図２においても示された、第１の実施形態における本発明に基づくフィルムの断面図である。
【図４】第２の実施形態における本発明に基づくフィルムの断面図である。
【図５】第３の実施形態における本発明に基づくフィルムの断面図である。
【図６】第４の実施形態における本発明に基づくフィルムの断面図である。
【図７】第５の実施形態における本発明に基づくフィルムの断面図である。
【図８】第６の実施形態における本発明に基づくフィルムの断面図である。
【図９】第７の実施形態における本発明に基づくフィルムの断面図である。
【図１０】第８の実施形態における本発明に基づくフィルムの断面図である。
【符号の説明】
【００２１】
１０  多重積層フィルム
１１  第１の層
１２  第２の層
１５  間挿層
１６  外面
１８  切込み
１８ａ  切込み
１８ｂ  切込み
１８ｃ  切込み
１８ｄ  切込み
１８ｅ  切込み
【図１】
2008521712.tif 000003
【図２】
2008521712.tif 000004
【図３】
2008521712.tif 000005
【図４】
2008521712.tif 000006
【図５】
2008521712.tif 000007
【図６】
2008521712.tif 000008
【図７】
2008521712.tif 000009
【図８】
2008521712.tif 000010
【図９】
2008521712.tif 000011
【図１０】
2008521712.tif 000012
【国際調査報告】
2008521712.tif 000013
2008521712.tif 000014